(57)【特許請求の範囲】
【請求項１】
キャスタを有する台車部と、
前記台車部上に配設される椅子部と、を備え、
前記椅子部は、入浴者を座らせる第１の姿勢と、前記第１の姿勢から座った入浴者を後向きに倒す方向に動かして得られる第２の姿勢と、前記第２の姿勢とは異なる機構で前記第１の姿勢から座った入浴者を後向きに倒す方向に動かして得られる第３の姿勢とに切替可能に設けられ、
前記第２の姿勢から前記第３の姿勢に切り替えるための操作、及び、前記第３の姿勢から前記第２の姿勢に切り替えるための操作が不可能に設けられることを特徴とする入浴用車椅子。
【請求項２】
前記椅子部は、当該椅子部全体が前記台車部に対して回動可能に設けられ、
前記椅子部は、座面部と、前記座面部に対して回動可能に設けられる背当部とを有し、
前記第２の姿勢は、前記第１の姿勢から前記椅子部全体が回転された姿勢であり、
前記第３の姿勢は、前記第１の姿勢から前記背当部の前記座面部に対する傾きが変更された姿勢であることを特徴とする請求項１に記載の入浴用車椅子。
【請求項３】
前記第２の姿勢に切り替えるために使用される第１の操作レバーと、
前記第３の姿勢に切り替えるために使用される第２の操作レバーと、
前記第２の姿勢である場合に、前記第２の操作レバーによる切替操作を不能にする第１の安全機構と、
前記第３の姿勢である場合に、前記第１の操作レバーによる切替操作を不能にする第２の安全機構と、を備えることを特徴とする請求項１又は２に記載の入浴用車椅子。
【請求項４】
前記第１の安全機構は、前記第２の姿勢である場合に、前記第２の操作レバーと連動して動く第１のロック軸と、前記第１のロック軸と係合する第１の係合溝との係合を解除不能とする第１の規制部を含み、
前記第２の安全機構は、前記第３の姿勢である場合に、前記第１の操作レバーと連動して動く第２のロック軸と、前記第２のロック軸と係合する第２の係合溝との係合を解除不能とする第２の規制部を含むことを特徴とする請求項３に記載の入浴用車椅子。
【請求項５】
前記第１の姿勢は、入浴者を移送する際に使用される姿勢であり、
前記第２の姿勢は、入浴の際に使用される姿勢であり、
前記第３の姿勢は、洗身作業の際に使用される姿勢であることを特徴とする請求項１から４のいずれかに記載の入浴用車椅子。
【発明の詳細な説明】
【技術分野】
【０００１】
本発明は、体が不自由で介助が必要な者（以下、要介助者と記載する）が使用するのに好適な入浴用車椅子に関する。
【背景技術】
【０００２】
従来、要介助者を車椅子に載せたまま入浴させる入浴装置が知られている（例えば特許文献１や２参照）。このような入浴装置は、浴槽とは別に、専用の車椅子（入浴用車椅子）を備えている。特許文献１や２に開示される入浴用車椅子は、キャスタ付きの台車部と、台車部上に配設されて入浴者が着座する椅子部と、を備える構成となっている。入浴用車椅子には、台車部と椅子部とが分離しないタイプ（例えば特許文献１参照）や、台車部と椅子部とが分離するタイプ（例えば特許文献２参照）がある。
【先行技術文献】
【特許文献】
【０００３】
【特許文献１】特許第２５７２５５９号公報
【特許文献２】特開２００８−１４９０００号公報
【発明の概要】
【発明が解決しようとする課題】
【０００４】
ところで、本出願人は、例えば、入浴者が安全且つ心地良く入浴できるとともに、介助者の労力を軽減できるように、要介助者を車椅子に載せたまま入浴させる入浴装置の改良を検討している。そして、この改良に伴って入浴用車椅子の改良も検討している。
【０００５】
検討中の入浴用車椅子は、３つの姿勢（第１から第３の姿勢）に切り替えられる。第１の姿勢は、主に要介助者を入浴装置へと移送する際に使用する姿勢である。第２の姿勢は、主に要介助者を入浴させる際に使用する姿勢である。第３の姿勢は、主に洗身作業を行う際に使用する姿勢である。
【０００６】
このような３つの姿勢に切り替えられる入浴用車椅子は、要介助者及び介助者の双方が使い勝手が良いと感じることを期待できる。しかしながら、このような３つの姿勢に切り替えられる構成を採用する場合に、姿勢を切り替える際の安全性について工夫すべき点があることがわかった。
【０００７】
以上の点に鑑みて、本発明の目的は、要介助者及び介助者の双方にとって使い勝手が良く、安全性の高い入浴用車椅子を提供することである。
【課題を解決するための手段】
【０００８】
上記目的を達成するために本発明の入浴用車椅子は、キャスタを有する台車部と、前記台車部上に配設される椅子部と、を備え、前記椅子部は、第１の姿勢と、第２の姿勢と、第３の姿勢とに切替可能に設けられ、前記第２の姿勢から前記第３の姿勢に切り替えるための操作、及び、前記第３の姿勢から前記第２の姿勢に切り替えるための操作が不可能に設けられる構成（第１の構成）になっている。
【０００９】
本構成では、入浴用車椅子は３つの姿勢に切替可能に設けられている。このために、要介助者及び介助者の双方が使い勝手が良いと感じられる入浴用車椅子の提供が可能である。また、姿勢を切り替えるための操作のうち、特定の操作を不可能とすることによって、要介助者等の安全性を高めることが可能である。
【００１０】
上記第１の構成の入浴用車椅子において、前記椅子部は、当該椅子部全体が前記台車部に対して回動可能に設けられ、前記椅子部は、座面部と、前記座面部に対して回動可能に設けられる背当部とを有し、前記第２の姿勢は、前記第１の姿勢から前記椅子部全体が回転された姿勢であり、前記第３の姿勢は、前記第１の姿勢から前記背当部の前記座面部に対する傾きが変更された姿勢である構成（第２の構成）としてもよい。本構成によれば、入浴装置への移送、入浴、及び、洗身作業といった各動作に対して、要介助者及び／又は介助者が快適に感じられる入浴用車椅子の提供が可能である。なお、第３の姿勢は、背当部に加えて、座面部に対して回動可能に設けられる足受部の傾きも変更された姿勢であるのが好ましい。
【００１１】
上記第１又は第２の構成の入浴用車椅子は、前記第２の姿勢に切り替えるために使用される第１の操作レバーと、前記第３の姿勢に切り替えるために使用される第２の操作レバーと、前記第２の姿勢である場合に、前記第２の操作レバーによる切替操作を不能にする第１の安全機構と、前記第３の姿勢である場合に、前記第１の操作レバーによる切替操作を不能にする第２の安全機構と、を備える構成（第３の構成）であってよい。本構成によれば、安全機構を導入するために追加する部品の数を抑制しやすい。
【００１２】
上記第３の構成の入浴用車椅子において、前記第１の安全機構は、前記第２の姿勢である場合に、前記第２の操作レバーと連動して動く第１のロック軸と、前記第１のロック軸と係合する第１の係合溝との係合を解除不能とする第１の規制部を含み、前記第２の安全機構は、前記第３の姿勢である場合に、前記第１の操作レバーと連動して動く第２のロック軸と、前記第２のロック軸と係合する第２の係合溝との係合を解除不能とする第２の規制部を含む構成（第４の構成）であってよい。
【００１３】
上記第１から第４のいずれかの構成の入浴用車椅子において、前記第１の姿勢は、入浴者を移送する際に使用される姿勢であり、前記第２の姿勢は、入浴の際に使用される姿勢であり、前記第３の姿勢は、洗身作業の際に使用される姿勢である構成（第５の構成）であってよい。
【発明の効果】
【００１４】
本発明によれば、要介助者及び介助者の双方にとって使い勝手が良く、安全性の高い入浴用車椅子を提供可能である。
【図面の簡単な説明】
【００１５】
【図１】本発明の実施形態に係る入浴用車椅子と、入浴用車椅子が適用される入浴装置とを示す概略側面図
【図２】本発明の実施形態に係る入浴用車椅子が適用される入浴装置における、入浴時の姿勢を示す概略側面図
【図３】本発明の実施形態に係る入浴用車椅子が適用される入浴装置の概略上面図
【図４】本発明の実施形態に係る入浴用車椅子が移動姿勢である場合の概略側面図
【図５】本発明の実施形態に係る入浴用車椅子が移動姿勢である場合の概略正面図
【図６】本発明の実施形態に係る入浴用車椅子が移動姿勢である場合の概略背面図
【図７】本発明の実施形態に係る入浴用車椅子がチルト姿勢である場合の概略側面図
【図８】本発明の実施形態に係る入浴用車椅子がフルリクライニング姿勢である場合の概略側面図
【図９】本発明の実施形態に係る入浴用車椅子の背面側の一部を拡大して示した概略平面図
【図１０】本発明の実施形態に係る入浴用車椅子において、移動姿勢からチルト姿勢へと切り替える場合における動作を説明するための概略断面図
【図１１】本発明の実施形態に係る入浴用車椅子がチルト姿勢となった場合における、図９のＺ−Ｚ位置における概略断面図
【図１２】本発明の実施形態に係る入浴用車椅子において、移動姿勢からフルリクライニング姿勢へと切り替える場合における動作を説明するための概略断面図
【図１３】本発明の実施形態に係る入浴用車椅子がフルリクライニング姿勢となった場合における、図９のＸ−Ｘ位置における概略断面図
【図１４】図１３の状態からチルト操作レバーを矢印Ｃ方向に操作した場合の状態を示す図
【発明を実施するための形態】
【００１６】
以下、本発明の実施形態に係る入浴用車椅子について、図面を参照しながら詳細に説明する。
【００１７】
＜入浴装置の概要＞
まず、本発明の実施形態に係る入浴用車椅子が適用される入浴装置の構成例について、図１から図３を参照しながら簡単に説明しておく。図１は、本発明の実施形態に係る入浴用車椅子１と、入浴用車椅子１が適用される入浴装置１００とを示す概略側面図である。図２は、本発明の実施形態に係る入浴用車椅子１が適用される入浴装置１００における、入浴時の姿勢を示す概略側面図である。図３は、本発明の実施形態に係る入浴用車椅子が適用される入浴装置１の概略上面図である。なお、図３は、図１に示す状態の入浴装置１００の上面図である。
【００１８】
図１及び図２に示すように、入浴装置１００は、床面Ｆに支持される固定台１０１と、入浴用車椅子１を受け入れ可能に設けられると共に、固定台１０１に対して鉛直方向に回動可能に設けられる可動浴槽１０２と、を備える。可動浴槽１０２の駆動手段としては、特に限定されるものではないが、例えば油圧シリンダやエアシリンダ等を用いることができる。
【００１９】
可動浴槽１０２は、入浴用車椅子１を浴槽内に受け入れる際に、浴槽上面１０２ａが水平面（床面Ｆに平行な面）に対して傾いた状態とされる（図１に示す状態）。図３に示すように、可動浴槽１０２には、その長手方向（図３の左右方向が該当）の一端部１０２ｂから内部に向けて切欠部１０３が形成されている。
【００２０】
キャスタ付の台車部１０によって移動可能に設けられる入浴用車椅子１が可動浴槽１０２に向けて移動されると、台車部１０に備えられる支持ロッド１３が切欠部１０３に進入する。この支持ロッド１３の切欠部１０３への進入に伴い、台車部１０上に配設される椅子部２０が可動浴槽１０２の浴槽内に進入する。なお、この際、台車部１０の下部側は可動浴槽１０２の下に潜り込む。また、入浴用車椅子１の移動は、介助者によって行われる。
【００２１】
支持ロッド１３が切欠部１０３の奥側の所定位置まで達すると、シール部材（不図示）によって切欠部１０３が液密に閉鎖される。この状態で、可動浴槽１０２は回動されて、浴槽上面１０２ａが水平面に対して平行な状態にされる（図２参照）。可動浴槽１０２の回転に伴って、シール部材に挟持される入浴用車椅子１も、台車部１０と椅子部２０とが分離されることなく全体が持ち上げられて回動する。
【００２２】
可動浴槽１０２の浴槽上面１０２ａが水平となった状態（図２の状態）で、可動浴槽１０２内に湯が供給されて、入浴用車椅子１の椅子部２０に座った入浴者は入浴状態になる。入浴後、入浴用車椅子１に載った入浴者を浴槽外へと退出させる場合には、上述の動作と逆の動作が行われる。すなわち、まず浴槽内の湯が抜かれ、可動浴槽１０２が水平状態から所定の角度だけ傾いた状態にされる。そして、シール部材による閉鎖状態が開放され、介助者が入浴用車椅子１を浴槽外に移動させることによって、入浴者は浴槽外へと退出する。
【００２３】
＜入浴用車椅子の構成＞
次に、以上のような入浴装置１００に適用される入浴用車椅子１について詳細に説明する。入浴用車椅子１は、例えば入浴者（要介助者）及び介助者の使い勝手等を考慮して、３つの姿勢に切り替えられる構成になっている。３つの姿勢の中には、入浴用車椅子１に載った（座った）入浴者を移送（例えばベッドと入浴装置１００との間の移送等が挙げられる）する際に主に使用される移動姿勢が含まれる。なお、この移動姿勢は、本発明の第１の姿勢に該当する。
【００２４】
図４は、本発明の実施形態に係る入浴用車椅子１が移動姿勢である場合の概略側面図である。図５は、本発明の実施形態に係る入浴用車椅子１が移動姿勢である場合の概略正面図である。図６は、本発明の実施形態に係る入浴用車椅子１が移動姿勢である場合の概略背面図である。図４から図６に示すように、入浴用車椅子１は、台車部１０と、入浴者を載せる椅子部２０と、を備える。
【００２５】
台車部１０は、下フレーム部１１と、上フレーム部１２と、下フレーム部１１上に立設されて上フレーム部１２を支持する支持ロッド１３と、下フレーム部１１に取り付けられて台車部１０を移動可能とする４つのキャスタ１４と、を備える。
【００２６】
椅子部２０は、上フレーム部１２に支持されることによって台車部１０上に配設される。椅子部２０は、入浴者が臀部を載せる座面部２１と、入浴者の背もたれとなる背当部２２と、入浴者が下肢を載せる足受部２３と、を備える。座面部２１は、上フレーム部１２（台車部１０）に対して鉛直方向に回動可能に取り付けられている。背当部２２及び足受部２３は、座面部２１に対して鉛直方向に回動可能に取り付けられている。
【００２７】
座面部２１の左右（図５及び図６を念頭においた表現）には、手すり２４が設けられる。手すり２４は、座面部２１に固着されており、座面部２１の回動に伴って回動する。背当部２２の上部側には、枕部２５が高さ調整可能に取り付けられている。また、背当部２２の左右（図５及び図６を念頭においた表現）には、上肢をサポートするサイドサポート部２６が設けられている。枕部２５及びサイドサポート部２６は、背当部２２の回動に伴って回動する。
【００２８】
入浴用車椅子１の背面側上部には、図６に示すように、介助者が入浴用車椅子１を走行させる際に使用する走行用ハンドル４０が備えられる。また、図６に示すように、入浴用車椅子１の背面右側には、入浴用車椅子１をチルト姿勢にするためのチルト操作レバー５０が備えられている。また、図６に示すように、入浴用車椅子１の背面左側には、入浴用車椅子１をフルリクライニング姿勢にするためのフルリクライニング操作レバー６０が設けられている。なお、チルト操作レバー５０とフルリクライニング操作レバー６０が設けられる位置は入れ替えられてもよい。また、チルト操作レバー５０は、本発明の第１の操作レバーの一例である。フルリクライニング操作レバー６０は、本発明の第２の操作レバーの一例である。
【００２９】
チルト姿勢とは、移動姿勢から椅子部２０全体が台車部１０に対して鉛直方向に回転された姿勢であり、図７に示す状態が該当する。このチルト姿勢は、上述の３つの姿勢に含まれる姿勢であり、入浴装置１００を用いた入浴の際に主に使用される姿勢である。なお、図１に示す入浴用車椅子１はチルト姿勢になっている。
【００３０】
移動姿勢からチルト姿勢にする際の、椅子部２０の台車部１０に対する回転方向は、椅子部２０に座った入浴者が後向きに倒れる方向（図４に矢印ｒで示す方向）である。椅子部２０の台車部１０に対する回転量は、特に限定されるものではないが、例えば２０°程度とできる。なお、チルト姿勢と移動姿勢とでは、座面部２１に対する背当部２２及び足受部２３の角度は同一である。また、このチルト姿勢は、本発明の第２の姿勢に該当する。
【００３１】
フルリクライニング姿勢は、移動姿勢と比較した場合に、座面部２１の状態は同じ（座面が水平となる状態）としつつ、背当部２２及び足受部２３の傾きを変更した姿勢であり、図８に示す状態が該当する。このフルリクライニング姿勢は、上述の３つの姿勢に含まれる姿勢であり、洗身作業の際に主に使用される姿勢である。なお、このフルリクライニング姿勢は、本発明の第３の姿勢に該当する。移動姿勢からフルリクライニング姿勢に切り替える際に、手すり２４は移動姿勢の場合から傾きが変化されない。このために、手すり２４は、洗身作業の際に入浴者（要介助者）が車椅子から脱落することを防止するサイドフェンスとしての機能を発揮する。
【００３２】
移動姿勢からフルリクライニング姿勢にする場合において、座面部２１に対して鉛直方向に回転する背当部２２及び足受部２３の回転方向は同じ方向であり、椅子部２０に座った入浴者が後向きに倒れる方向（図４に矢印ｒで示す方向）である。フルリクライニング姿勢においては、特に限定されるものではないが、背当部２２は座面部２１（水平状態）に対して例えば１５°程度傾いた状態とできる。
【００３３】
なお、足受部２３は、背当部２２の傾き角度の変更に応じて入浴者が楽な姿勢となるように、その傾き角度が変更されるが、場合によっては、足受部２３の角度変更は行われなくてもよい。また、足受部２３は、詳細には、座面部２１に対して鉛直方向に回動可能なレッグレスト２３１と、レッグレスト２３１に対して鉛直方向に回動可能なフットレスト２３２とを有する。移動姿勢からフルリクライニング姿勢にする場合、座面部２１に対してレッグレスト２３１が回転するとともに、レッグレスト２３１に対してフットレスト２３２が回転する。
【００３４】
入浴用車椅子１は、移動姿勢からチルト姿勢に切り替えるための操作、及び、その逆（チルト姿勢から移動姿勢）の操作が可能に設けられている。また、入浴用車椅子１は、移動姿勢からフルリクライニング姿勢に切り替えるための操作、及び、その逆（フルリクライニング姿勢から移動姿勢）の操作が可能に設けられている。
【００３５】
一方、入浴用車椅子１は、チルト姿勢からフルリクライニング姿勢に切り替えるための操作、及び、フルリクライニング姿勢からチルト姿勢に切り替えるための操作は不可能に設けられている。これは、例えば入浴者（要介助者）の安全等を考慮するものである。以下、この安全機構について詳細に説明する。なお、図９は、本発明の実施形態に係る入浴用車椅子１の背面側の一部を拡大して示した概略平面図で、以降に示す断面図の切断位置を明示するための図である。
【００３６】
（第１の安全機構）
まず、チルト姿勢からフルリクライニング姿勢に切り替えるための操作を不可能とする第１の安全機構について説明する。
【００３７】
第１の安全機構の説明に先立って、移動姿勢からチルト姿勢へと切り替える際の動作について説明しておく。図１０は、本発明の実施形態に係る入浴用車椅子１において、移動姿勢からチルト姿勢へと切り替える場合における動作を説明するための概略断面図で、図９のＸ−Ｘ位置における断面図である。図１０（ａ）は、入浴用車椅子１が移動姿勢である場合の図である。図１０（ｂ）は、入浴用車椅子１が移動姿勢からチルト姿勢へと切り替えられる途中の状態を示す図である。図１０（ｃ）は、入浴用車椅子１がチルト姿勢である場合の図である。
【００３８】
図１０に示すように、背当部２２の背面に沿って設けられるチルト操作レバー５０（図６も参照）の先端には、略Ｖ字状の連結金具５１が取り付けられている。連結金具５１は、チルト操作レバー５０に対して鉛直方向に回動可能に取り付けられている。連結金具５１の先端部（チルト操作レバー５０に連結される端部と反対側の端部）には、ロック軸５２が取けられている。上フレーム部１２（台車部１０を構成する）には、ロック軸５２と係合する２つの溝部５３ａ、５３ｂが設けられた位置決め板５３が取り付けられている。
【００３９】
移動姿勢においては、図１０（ａ）に示すように、ロック軸５２が位置決め板５３の第１の溝部５３ａと係合する。このために、椅子部２０全体が台車部１０に対して回動することはなく、移動姿勢が維持できるようになっている。なお、チルト操作レバー５０の先端側には圧縮バネ５４が遊嵌されており、この圧縮バネ５４の付勢力によってロック軸５２と第１の溝部５３ａとの係合が維持されるようになっている。
【００４０】
移動姿勢からチルト姿勢へと変更する場合、チルト操作レバー５０が圧縮バネ５４の付勢力に抗する方向（図１０（ｂ）の矢印Ａ１方向）に引き上げられる。この操作により、連結金具５１の先端部に取り付けられるロック軸５２が第１の溝部５３ａから抜ける方向（図１０（ｂ）の矢印Ａ２方向）へと移動する。ロック軸５２と第１の溝部５３ａとの係合が解除されると、椅子部２０全体が上フレーム部１２に固定される回転軸５５を中心として、図１０（ｂ）の矢印Ｒ１方向に回転する。
【００４１】
この回転後にチルト操作レバー５０に対して加えた力を解除することによって、図１０（ｃ）に示すように、ロック軸５２は位置決め板５３の第２の溝部５３ｂと係合する。圧縮バネ５４の付勢力によってロック軸５２と第２の溝部５３ｂとの係合が維持され、入浴用車椅子１はチルト姿勢となる。
【００４２】
なお、チルト姿勢から移動姿勢への切替も、チルト操作レバー５０を用いて行われ、移動姿勢からチルト姿勢への切替と逆の動作が行われるようにすればよい。すなわち、チルト操作レバー５０の操作によって、ロック軸５２と第２の溝部５３ｂとの係合を解除し、椅子部２０全体を、回転軸５５を中心として矢印Ｒ１と反対方向に回転させ、ロック軸５２と第１の溝部５３ａとの係合を得るようにすればよい。
【００４３】
図１１は、本発明の実施形態に係る入浴用車椅子１がチルト姿勢となった場合における、図９のＺ−Ｚ位置における概略断面図である。入浴用車椅子１が、移動姿勢からチルト姿勢へと移行される際に（図１０（ｂ）から図１０（ｃ）の状態へと移行される際に）、座面部２１に取り付けられるパイプ７１は、椅子部２０全体の回動によって一緒に回動し、その位置を下げる。そして、この位置を下げられたパイプ７１が、上フレーム部１２に対して鉛直方向に回動可能に取り付けられる邪魔板７２を押圧する。なお、邪魔板７２は、上フレーム部１２にバネ部材７２ａ（図１２参照；例えば引っ張りバネ）によって付勢された状態で取り付けられており、パイプ７１はバネ部材７２ａの付勢力に反して邪魔板７２を押圧することになる。
【００４４】
ところで、図１１に示すように、フルリクライニング操作レバー６０は、その先端部にロック軸６１が取り付けられている。このロック軸６１と、座面部２１に固定される位置決め板６２に設けられる溝部６２ａとが係合することによって、座面部２１に対する背当部２２（足受部２３も）の回動が禁止される。
【００４５】
上述のように、入浴用車椅子１が移動姿勢からチルト姿勢へと移行される際に、邪魔板７２はパイプ７１によって押圧される。そして、パイプ７１によって押圧された邪魔板７２は、その先端側が押し下げられて、フルリクライニング操作レバー６０の操作に伴うロック軸６１の移動を邪魔する位置に至る。このために、チルト姿勢では、フルリクライニング操作レバー６０の操作によって、ロック軸６１（本発明の第１のロック軸の一例）と溝部６２ａ（本発明の第１の係合溝の一例）との係合を解除できない。すなわち、パイプ７１と邪魔板７２（本発明の第１の規制部の一例）とを含む第１の安全機構により、入浴用車椅子１においては、チルト姿勢からフルリクライニング姿勢へと切り替えるための操作を行うことができない。
【００４６】
なお、チルト姿勢から移動姿勢へと切り替えることによって、パイプ７１による邪魔板７２の押圧が解除される。このために、移動姿勢に戻ると、フルリクライニング操作レバー６０の操作によって、フルリクライニング姿勢への切替が可能になる。
【００４７】
（第２の安全機構）
次に、フルリクライニング姿勢からチルト姿勢に切り替えるための操作を不可能とする第２の安全機構について説明する。
【００４８】
第２の安全機構の説明に先立って、移動姿勢からフルリクライニング姿勢へと切り替える際の動作について説明しておく。図１２は、本発明の実施形態に係る入浴用車椅子１において、移動姿勢からフルリクライニング姿勢へと切り替える場合における動作を説明するための概略断面図で、図９のＹ−Ｙ位置における断面図である。図１２（ａ）は、入浴用車椅子１が移動姿勢である場合の図である。図１２（ｂ）は、入浴用車椅子１が移動姿勢からフルリクライニング姿勢へと切り替えられる途中の状態を示す図である。図１２（ｃ）は、入浴用車椅子１がフルリクライニング姿勢である場合の図である。
【００４９】
上述のように、移動姿勢においては、フルリクライニング操作レバー６０のロック軸６１と、位置決め板６２の溝部６２ａとが係合する（図１２（ａ）参照）。このために、座面部２１に対して背当部２２（足受部２３も）が回動することなく、移動姿勢が維持される。なお、フルリクライニング操作レバー６０の先端側には圧縮バネ６３が遊嵌されており、この圧縮バネ６３の付勢力によってロック軸６１と溝部６２ａとの係合が維持されるようになっている。
【００５０】
移動姿勢からフルリクライニング姿勢へと変更する場合、フルリクライニング操作レバー６０が圧縮バネ６３の付勢力に抗する方向（図１２（ｂ）の矢印Ｂ方向）に引き上げられる。この操作により、ロック軸６１が溝部６２ａから抜ける方向へと移動する。ロック軸６１と溝部６２ａとの係合が解除されると、背当部２２が回転軸６４を中心として、図１２（ｂ）のＲ２方向に回転する。なお、背当部２２の回転に連動して足受部２３も回転する。
【００５１】
背当部２２には、ロック軸６１と係合する係合穴６５ａが設けられた位置決め板６５が取り付けられている。係合穴６５ａは長穴形状である。背当部２２が回転軸６４を中心として回転された場合、所定の位置で位置決め板６５と座面部２１とが当接する。そして、これにより、図１２（ｃ）に示すように、背当部２２の位置（角度位置）が決定され、入浴用車椅子１はフルリクライニング姿勢となる。
【００５２】
なお、フルリクライニング姿勢から移動姿勢への切替は、移動姿勢からフルリクライニング姿勢への切替と逆の動作が行われるようにすればよい。すなわち、回転軸６４を中心として矢印Ｒ２方向と反対方向に背当部２２を回転し、ロック軸６１と溝部６２ａとの係合が得られるようにすればよい。
【００５３】
図１３は、本発明の実施形態に係る入浴用車椅子１がフルリクライニング姿勢となった場合における、図９のＸ−Ｘ位置における概略断面図である。また、図１４は、図１３の状態からチルト操作レバー５０を矢印Ｃ方向に操作した場合の状態を示す図である。なお、正確には、図１３及び図１４は、図９のＸ−Ｘ位置よりも広い範囲の断面図となっている。
【００５４】
入浴用車椅子１が、移動姿勢からフルリクライニング姿勢へと移行される際に（図１２（ｂ）から図１２（ｃ）の状態へと移行される際に）、チルト操作レバー５０に対して連結金具５１が回転する。そして、圧縮バネ５４の作用によって、連結金具５１の先端部に設けられるロック軸５２が第１の溝部５３ａの奥側最端まで押し込まれる（図１３参照）。このために、ロック軸５２と第１の溝部５３ａとの係合を解除しようとすると、移動姿勢からチルト姿勢にする際にチルト操作レバー５０を移動させるストロークより長いストロークが必要となる。
【００５５】
なお、移動姿勢では、チルト操作レバー５０に設けられる第１の金具８１の存在によって、圧縮バネ５４の作用に関わらず、ロック軸５２が第１の溝部５３ａの奥側最端まで到達することはない（図１０（ａ）参照）。すなわち、第１の金具８１が背当部２２に設けられるフレーム２２１と当接することによって、ロック軸５２が第１の溝部５３ａの最奥まで到達することは防止され、ロック軸５２は第１の溝部５３ａの略中間位置に留まる。このために、上述のストローク差が生じる。
【００５６】
ところで、図１３及び図１４に示すように、チルト操作レバー５０には、第１の金具８１と間隔をおいて下方側に配置され、背当部２２を構成するフレーム２２１と協働して、レバーの引き上げ量を規制する第２の金具８２が設けられている。この第２の金具８２は、移動姿勢とチルト姿勢との間に切替を行う際に必要となるチルト操作レバー５０の移動量（ストローク）では、フレーム２２１と当接しないようになっている。
【００５７】
一方、フルリクライニング姿勢においては、第２の金具８２とフレーム２２１とが当接するために、ロック軸５２（本発明の第２のロック軸の一例）と第１の溝部５３ａ（本発明の第２の係合溝の一例）との係合を解除するだけのストロークが得られないようになっている。すなわち、第２の金具８２（本発明の第２の規制部の一例）を含む第２の安全機構により、入浴用車椅子１においては、フルリクライニング姿勢からチルト姿勢へと切り替えるための操作を行うことができない。
【００５８】
なお、フルリクライニング姿勢から移動姿勢へと切り替えることによって、ロック軸５２は第１の溝部５３ａの略中間位置に戻る。このために、移動姿勢に戻ると、チルト操作レバー５０の操作によって、チルト姿勢への切替が可能になる。
【００５９】
＜その他＞
以上に示した実施形態は本発明の例示であり、本発明の適用範囲は、以上に示した実施形態の構成に限定されるものではない。
【００６０】
例えば、本発明の入浴用車椅子が適用される入浴装置１００はあくまでも一例であり、本発明の入浴用車椅子が適用される入浴装置の構成は別の形態であっても構わない。
【００６１】
また、本発明は、少なくとも３つの姿勢に切り替えられる入浴用車椅子に広く適用可能であり、３つの姿勢が、以上に示した姿勢以外であっても構わない。また、本発明は、以上に示した３つの姿勢以外の姿勢が追加されたものにも適用可能である。
【符号の説明】
【００６２】
１  入浴用車椅子
１０  台車部
１４  キャスタ
２０  椅子部
２１  座面部
２２  背当部
５０  チルト操作レバー（第１の操作レバー）
５２  ロック軸（第２のロック軸）
５３ａ  第１の溝部（第２の係合溝）
６０  フルリクライニング操作レバー（第２の操作レバー）
６１  ロック軸（第１のロック軸）
６２ａ  溝部（第１の係合溝）
７２  邪魔板（第１の規制部：第１の安全機構の一部）
８２  第２の金具（第２の規制部：第２の安全機構の一部）
【図１】
0005917229.tif 000002
【図２】
0005917229.tif 000003
【図３】
0005917229.tif 000004
【図４】
0005917229.tif 000005
【図５】
0005917229.tif 000006
【図６】
0005917229.tif 000007
【図７】
0005917229.tif 000008
【図８】
0005917229.tif 000009
【図９】
0005917229.tif 000010
【図１０】
0005917229.tif 000011
【図１１】
0005917229.tif 000012
【図１２】
0005917229.tif 000013
【図１３】
0005917229.tif 000014
【図１４】
0005917229.tif 000015